(57)【要約】【課題】  誤操作を招かない信号レベル調整用スイッチ装置を提供する。【解決手段】  スイッチ回路３７のスイッチポジションを切り換えるだけで、受信信号３６をスルーで通過させることができ、また、該受信信号に所定の減衰を与えることができ、また、該受信信号をスルーで通過させると共に前記受信信号を増幅するためのローノイズアンプ３４に電源を供給することができる。したがって、信号レベル減衰用のアッテネータ（３９）の挿入／非挿入の切り換えと、ローノイズアンプ３４への電源供給のオン／オフの切り換えとをワンタッチで行って、誤操作を招かない信号レベル調整用スイッチ装置を提供することができる。【選択図】  図１
2005192026.tif 000002
【特許請求の範囲】
【請求項１】
三つのスイッチポジションを取り得るスイッチ回路を備え、
各スイッチポジションごとに、受信信号をスルーで通過させる、該受信信号に所定の減衰を与える、該受信信号をスルーで通過させると共に前記受信信号を増幅するためのローノイズアンプに電源を供給する、ことを特徴とする信号レベル調整用スイッチ装置。
【請求項２】
前記スイッチ回路は、２回路３接点のスライドスイッチであることを特徴とする請求項１記載の信号レベル調整用スイッチ装置。
【請求項３】
三つのスイッチポジションを取り得るスイッチ回路を備え、
前記スイッチ回路は、第一のスイッチポジションのときに端子Ａ１−端子Ｃ１間を導通すると共に端子Ａ２−端子Ｃ２間を導通し、第二のスイッチポジションのときに端子Ｂ１−端子Ｄ１間を導通すると共に端子Ｂ２−端子Ｄ２間を導通し、第三のスイッチポジションのときに端子Ｃ１−端子Ｅ１間を導通すると共に端子Ｃ２−端子Ｅ２間を導通するものであって、
受信信号の入力端子と端子Ｃ１及び端子Ｄ１との間を直流阻止要素を介して接続し、
受信信号の入力端子と端子Ｅ１、端子Ｃ２及び端子Ｄ２との間を交流阻止要素を介して接続し、
端子Ｅ１、端子Ｃ２及び端子Ｄ２と増幅器との間を直流阻止要素を介して接続し、
端子Ｅ２と直流電源生成回路との間を交流阻止要素を介して接続し、
端子Ｂ１と端子Ｂ２との間を減衰要素を介して接続し、
端子Ａ１と端子Ａ２との間を直接的に接続して構成したことを特徴とする信号レベル調整用スイッチ装置。
【請求項４】
三つのスイッチポジションを取り得るスイッチ回路を備え、
前記スイッチ回路は、第一のスイッチポジションのときに端子Ａ１−端子Ｃ１間を導通すると共に端子Ａ２−端子Ｃ２間を導通し、第二のスイッチポジションのときに端子Ｂ１−端子Ｄ１間を導通すると共に端子Ｂ２−端子Ｄ２間を導通し、第三のスイッチポジションのときに端子Ｃ１−端子Ｅ１間を導通すると共に端子Ｃ２−端子Ｅ２間を導通するものであって、
受信信号の入力端子と端子Ｂ１及び端子Ｃ１との間を直流阻止要素を介して接続し、
受信信号の入力端子と端子Ｄ１、端子Ｅ１、端子Ｃ２及び端子Ｄ２との間を交流阻止要素を介して接続し、
端子Ｄ１、端子Ｅ１、端子Ｃ２及び端子Ｄ２と増幅器との間を直流阻止要素を介して接続し、
端子Ｅ２と直流電源生成回路との間を交流阻止要素を介して接続し、
端子Ａ１と端子Ａ２との間を減衰要素を介して接続して構成したことを特徴とする信号レベル調整用スイッチ装置。
【発明の詳細な説明】
【技術分野】
【０００１】
本発明は、たとえば、テレビジョン共聴システムのブースタに適用する信号レベル調整用スイッチ装置に関する。詳しくは、信号レベル減衰用のアッテネータの挿入／非挿入の切り換えと、アンテナ直下に入れられたローノイズアンプへの電源供給のオン／オフの切り換えとを行ってテレビジョン放送の受信信号レベルを調整する信号レベル調整用スイッチ装置に関する。
【背景技術】
【０００２】
図７は、テレビジョン共聴システムの概念図である。ここでは、特に限定しないが、マンション等のビル共聴システムを例にしている。
ビル１の屋上には、不図示の放送局から送信されたテレビジョン放送信号を受信する受信アンテナ２が設置されており、この受信アンテナ２の直下には、受信信号のＳ／Ｎ比（デジタル放送信号の場合はＣ／Ｎ比）の改善を主たる目的としたローノイズアンプ（低雑音アンプ）３が設けられている。
【０００３】
ローノイズアンプ３から取り出された受信信号は、信号ケーブル４によってビル内に引き込まれ、ブースタ５と一つまたはいくつかの分配器６〜９を経由して各フロアの受信装置（テレビジョン受信機など）１０〜１８に分配される。
【０００４】
ここで、ローノイズアンプ３は、内部に増幅器等の電子回路を備えており、この電子回路を動作させるための電源が必要であるが、別途に屋外電源線を引き回す手間を避けるために、受信信号の伝送ケーブル（信号ケーブル４）を利用してローノイズアンプ３への電源供給を行っている（たとえば、特許文献１参照）。すなわち、ブースタ５で生成した電源電圧を信号ケーブル４に乗せてローノイズアンプ３に供給している。
【０００５】
また、ローノイズアンプ３は、上記のとおり、受信信号のＳ／Ｎ比の改善を主たる目的として設けられているが、たとえば、強電界地域（受信信号レベルが過大な地域）にあっては、その過大な受信信号が、さらにローノイズアンプ３で増幅されてブースタ５に加えられるため、ブースタ５の増幅器が飽和し、信号の歪みを生じるという不都合を招くことがあるので、この対策として、必要に応じて信号減衰器（アッテネータ）を挿入することが行われている（たとえば、特許文献２参照）。
【０００６】
【特許文献１】特開平７−１５４１７３号公報
【特許文献２】特開平７−３８８１９号公報
【発明の開示】
【発明が解決しようとする課題】
【０００７】
解決しようとする課題は、以下のとおりである。
一般に、テレビジョン共聴システムは、システム設置場所の受信信号レベルに見合った構成でシステムごとに最適設計されることが多く、通常、システム設置後の調整作業は必要ないが、たとえば、２００３年１２月から東京・大阪・名古屋の三大都市圏で本放送が開始された地上デジタル放送は、当面、既存のアナログテレビジョン放送への影響を考慮して、低電力送信（減力送信）されることとなっており、何段階かの増力変更過程を経て、最終的な空中線電力で送信される計画となっているため、その増力変更過程で、受信信号レベルが不適切となる可能性がある。
【０００８】
このような場合、起こり得るケースとしては、受信信号レベルが過大となるケース、受信信号レベルが適正なケース、受信信号が過小となるケースが考えられる。
【０００９】
上記の共聴システムを例にして、これらのケースへの対応策を検討すると、まず、受信信号レベルが過大となるケースでは、ローノイズアンプ３を非動作状態（受信信号をスルーする状態）にすると共に、受信信号経路中に信号減衰器（アッテネータ）を挿入すればよく、また、受信信号レベルが適正なケースでは、同じくローノイズアンプ３を非動作状態（受信信号をスルーする状態）にすると共に、信号減衰器（アッテネータ）を非挿入とすればよい。さらに、受信信号レベルが過小となるケースでは、同じく信号減衰器（アッテネータ）を非挿入とすると共に、ローノイズアンプ３を動作状態（受信信号を増幅する状態）にすればよい。
【００１０】
さて、このような検討結果から、たとえば、地上デジタル放送の漸次増力期間（言い換えれば、受信信号レベルの漸次変更期間）におけるシステム調整を適宜に行うことが可能となるが、現場の調整作業を容易化するには、ローノイズアンプ３への電源供給をオン／オフするための構成要素と、信号減衰器の挿入／非挿入を切り換えるための構成要素が必要である。
【００１１】
図８は、従来例の不都合を説明するために、これらの構成要素をスイッチで実現した場合の構成図である。この図において、ブースタ５には、電源オン／オフ用スイッチ１９と、信号減衰器挿入／非挿入切り換え用スイッチ２０の「二つのスイッチ」が設けられている。
【００１２】
図示の電源オン／オフ用スイッチ１９は、交流阻止用のチョークコイル２１と直流阻止用のコンデンサ２２、２３とからなる交直分離回路２４及び信号ケーブル４を介してローノイズアンプ３につながっており、接点をオンにすると、ブースタ５の内部または外部で作られた直流電源がローノイズアンプ３に供給される。
【００１３】
また、信号減衰器挿入／非挿入切り換え用スイッチ２０は、接点２５を図示位置にすると、入力信号をそのままパスしてブースタ５内部の電子回路（たとえば、増幅器）に出力するが、接点２５の位置を図面に向かって左側に切り換えると、入力信号をアッテネータ２６に通した後、ブースタ５内部の電子回路に出力する。
【００１４】
しかしながら、このように「二つのスイッチ」を設けた場合は、不適切なスイッチ操作を招くおそれがあるという問題点がある。
【００１５】
たとえば、上記のケースに従えば、「受信信号レベルが過大となる」ケースでは、電源オン／オフ用スイッチ１９をオフにしてローノイズアンプ３を非動作状態にすると共に、信号減衰器挿入／非挿入切り換え用スイッチ２０をオンにして受信信号経路中にアッテネータ２６を挿入すべきところ、この二つのスイッチ操作を誤ると、所望の状態（ローノイズアンプ３を非動作状態にし且つアッテネータ２６を挿入する）にすることができない。
【００１６】
また、「受信信号レベルが適正」なケースでは、電源オン／オフ用スイッチ１９をオフにしてローノイズアンプ３を非動作状態にすると共に、信号減衰器挿入／非挿入切り換え用スイッチ２０をオフにしてアッテネータ２６を非挿入とすべきところ、この二つのスイッチ操作を誤ると、所望の状態（ローノイズアンプ３を非動作状態にし且つアッテネータ２６を非挿入とする）にすることができない。
【００１７】
さらに、「受信信号レベルが過小となる」ケースでは、電源オン／オフ用スイッチ１９をオンにしてローノイズアンプ３を動作状態にすると共に、信号減衰器挿入／非挿入切り換え用スイッチ２０をオフにしてアッテネータ２６を非挿入とすべきところ、この二つのスイッチ操作を誤ると、所望の状態（ローノイズアンプ３を動作状態にし且つアッテネータ２６を非挿入とする）にすることができない。
【００１８】
そこで、本発明の目的は、信号レベル減衰用のアッテネータの挿入／非挿入の切り換えと、アンテナ直下に入れられたローノイズアンプへの電源供給のオン／オフの切り換えとをワンタッチで行い、たとえば、ローノイズアンプへの電源供給とアッテネータの挿入とを共に行ってしまうなどの誤操作を招かない信号レベル調整用スイッチ装置を提供することにある。
【課題を解決するための手段】
【００１９】
本発明に係る信号レベル調整用スイッチ装置は、三つのスイッチポジションを取り得るスイッチ回路を備え、各スイッチポジションごとに、受信信号をスルーで通過させる、該受信信号に所定の減衰を与える、該受信信号をスルーで通過させると共に前記受信信号を増幅するためのローノイズアンプに電源を供給する、ことを特徴とするものである。
【発明の効果】
【００２０】
この発明によれば、スイッチ回路のスイッチポジションを切り換えるだけで、受信信号をスルーで通過させることができ、また、該受信信号に所定の減衰を与えることができ、また、該受信信号をスルーで通過させると共に前記受信信号を増幅するためのローノイズアンプに電源を供給することができる。
したがって、信号レベル減衰用のアッテネータの挿入／非挿入の切り換えと、アンテナ直下に入れられたローノイズアンプへの電源供給のオン／オフの切り換えとをワンタッチで行い、誤操作を招かない信号レベル調整用スイッチ装置を提供することができる。
【発明を実施するための最良の形態】
【００２１】
以下、本発明の実施例を、テレビジョン共聴システムのブースタへの適用を例にして、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００２２】
図１（ａ）は、実施形態におけるブースタ３０の要部構成図である。このブースタ３０は、従来技術のブースタ５（図８参照）の代わりに用いられるものである。ブースタ３０の入力端子３１は、信号ケーブル３２を介して、受信アンテナ３３の直下に入れられたローノイズアンプ３４に接続されている。
【００２３】
ローノイズアンプ３４は、外部電源供給型の増幅器であり、電源電圧３５の供給時には、受信アンテナ３３で受けたテレビジョン放送信号（以下、受信信号３６という。）を所定の増幅度で増幅して出力するが、電源電圧３５の非供給時には、同テレビジョン放送信号（受信信号３６）をそのままスルーさせて（または若干の挿入損失を与えて）出力する。
【００２４】
ブースタ３０は、上記の入力端子３１、スイッチ回路３７、交直分離回路３８、減衰回路３９、直流電源生成回路４０及び増幅器４１などを含んで構成されており、これら各部の詳細は、以下のとおりである。
【００２５】
まず、スイッチ回路３７は、三つのポジジョンと計十個の端子（Ａ１、Ｂ１、Ｃ１、Ｄ１、Ｅ１、Ａ２、Ｂ２、Ｃ２、Ｄ２、Ｅ２）を持つ２回路３接点のスライドスイッチであり、このスイッチ回路３７は、各端子の接続線及び交直分離回路３８や減衰回路３９と共に「信号レベル調整用スイッチ装置」を構成する。
【００２６】
図１（ｂ）、（ｃ）は、スイッチ回路３７の外観図及び回路図である。図示のように、スイッチ回路３７の各端子は、Ａ１、Ｂ１、Ｃ１、Ｄ１及びＥ１の第一グループと、Ａ２、Ｂ２、Ｃ２、Ｄ２及びＥ２の第二グループとからなり、これらの端子は、それぞれ個別の固定接点４２〜５１に接続されている。
【００２７】
第一グループの固定接点（固定接点４２〜４６）と、第二グループの固定接点（固定接点４７〜５１）は、各々専用の可動接点５２、５３によって断接されるようになっており、可動接点５２、５３の接点スパン（左右矢印の間隔）は、固定接点４２〜５１の丁度三個分（横方向に並んだ三個分）に相当する長さである。たとえば、図１（ｃ）の例では、第一グループの可動接点５２の左側矢印が同グループの固定接点４２に接触すると共に、同可動接点５２の右側矢印が同グループの固定接点４４に接触しており、且つ、第二グループの可動接点５３の左側矢印が同グループの固定接点４７に接触すると共に、同可動接点５３の右側矢印が同グループの固定接点４９に接触している。この場合、スイッチ回路３７は、第一グループの端子Ａ１−端子Ｃ１間を導通すると共に、第二グループの端子Ａ２−端子Ｃ２間を導通する状態にある。
【００２８】
二つの可動接点５２、５３は、互いに電気的に絶縁されているが、機械的には一体化されており、図１（ｂ）の外観図に示すように、ケース５４の上面開口穴５４ａから一部が露出した操作子５５に連結され、この操作子５５の白抜き矢印方向５６へのスライド操作に伴って、三つのスイッチポジジョン（以下「第一のスイッチポジション」、「第二のスイッチポジション」、「第三のスイッチポジション」という。）のいずれかに設定できるようになっている。
【００２９】
第一のスイッチポジジョンは、図１（ｃ）の状態である。すなわち、上記の説明のように、第一グループの端子Ａ１−端子Ｃ１間を導通すると共に、第二グループの端子Ａ２−端子Ｃ２間を導通する状態である。同様に、第二のスイッチポジジョンは、第一グループの端子Ｂ１−端子Ｄ１間を導通すると共に、第二グループの端子Ｂ２−端子Ｄ２間を導通する状態であり、さらに、第三のスイッチポジジョンは、第一グループの端子Ｃ１−端子Ｅ１間を導通すると共に、第二グループの端子Ｃ２−端子Ｅ２間を導通する状態である。
【００３０】
なお、このような仕組みのスイッチ回路３７には、たとえば、ホシデン株式会社製の「スライドスイッチ（型番：ＨＳＷ１９３１）」などの汎用品を使用できる。
【００３１】
次に、交直分離回路３８は、受信信号３６と電源電圧３５との周波数成分の違いに基づいて両者を分離する回路であり、直流成分を通さない回路要素（直流阻止要素；典型的にはコンデンサ）５７〜５９と交流成分を通さない回路要素（交流阻止要素；典型的にはチョークコイル）６０〜６２とを組み合わせて構成されている。
【００３２】
たとえば、図示の例では、入力端子３１とスイッチ回路３７の端子Ｃ１及び端子Ｄ１との間にコンデンサ５７を接続し、入力端子３１とスイッチ回路３７の端子Ｅ１、端子Ｃ２及び端子Ｄ２との間に２個のチョークコイル６０、６１を直列に接続し、そのチョークコイル６０、６１の接続点とグランド間にコンデンサ５８を接続し、スイッチ回路３７の端子Ｅ２と直流電源生成回路４０との間にチョークコイル６２を接続し、スイッチ回路３７の端子Ｃ２、端子Ｄ２及び端子Ｅ１と増幅器４１との間にコンデンサ５９を接続して構成している。
【００３３】
次に、減衰回路３９は、受信信号３６に対して所定の減衰を与えるための減衰要素（アッテネータ）であり、たとえば、図示の例では、スイッチ回路３７の端子Ｂ１と端子Ｂ２との間に抵抗６３を接続すると共に、その抵抗６３の両端とグランド間にそれぞれ抵抗６４、６５を接続してπ型のアッテネータを構成している。減衰回路３９の入出力インピーダンス（端子Ｂ１とグランド間及び端子Ｂ２とグランド間のインピーダンス）を５０Ωとするとき、抵抗６３を７５Ω、抵抗６４、６５を１００Ωとすれば、入出力の電力比を約１／１０（近似減衰量：１０ｄＢ）とすることができる。
【００３４】
直流電源生成回路４０は、ローノイズアンプ３４の動作に必要な電源電圧３５を生成してチョークコイル６２を介して出力するための回路であり、この電源電圧３５は、交直分離回路３８における受信信号３６との分離作用を得るために直流（または若干の低周波リップル成分を含む脈流）とされている。
【００３５】
最後に、増幅器４１は、受信信号３５を増幅して、テレビジョン共聴システムの分配器（図７の分配器６〜９参照）に出力するためのものであり、その増幅度は、たとえば、テレビジョン共聴システムにおける分配ロスを補うことのできる程度のものとされる。
【００３６】
以上、説明したとおり、図示のスイッチ回路３７の各端子Ａ１〜Ｅ１及びＡ２〜Ｅ２には、交直分離回路３８や減衰回路３９などが接続されていると共に、端子Ａ１と端子Ａ２との間が直接的に接続されており、上記の三つのスイッチポジションの各々において、以下に説明する回路動作を実現する。
【００３７】
図２は、スイッチポジションごとの回路動作を説明する図である。まず、第一のスイッチポジジョン（ａ）について説明する。このポジションは、可動接点５２、５３が左側に位置しているときのポジションであり、この場合、スイッチ回路３７の端子Ａ１−端子Ｃ１間が導通すると共に、スイッチ回路３７の端子Ａ２−端子Ｃ２間が導通する。このため、入力端子３１に加えられた受信信号３６は、コンデンサ５７→端子Ｃ１→可動接点５２→端子Ａ１→端子Ａ２→可動接点５３→端子Ｃ２→コンデンサ５９の経路を経て増幅器４１に伝えられる。この経路中には、受信信号３６に対する減衰要素が含まれていないので、増幅器４１には、入力端子３１に加えられた受信信号３６がほぼそのままの受信レベルを保って伝えられる。
【００３８】
なお、この第一のスイッチポジションにおいては、入力端子３１と増幅器４１側のコンデンサ５９との間に、交直分離回路３８のチョークコイル６０、６１が挿入されるが、このチョークコイル６０、６１は高周波の交流である受信信号３６に対して、高インピーダンスの回路要素となり、受信信号３６を通さないため、その存在を無視することができる。
【００３９】
次に、第二のスイッチポジジョン（ｂ）について説明する。このポジションは、可動接点５２、５３が中央に位置しているときのポジションであり、この場合、スイッチ回路３７の端子Ｂ１−端子Ｄ１間が導通すると共に、スイッチ回路３７の端子Ｂ２−端子Ｄ２間が導通する。このため、入力端子３１に加えられた受信信号３６は、コンデンサ５７→端子Ｄ１→可動接点５２→端子Ｂ１→減衰回路３９→端子Ｂ２→可動接点５３→端子Ｄ２→コンデンサ５９の経路を経て増幅器４１に伝えられる。上記の第一のスイッチポジジョン（ａ）と違って、この経路中には、受信信号３６に対する減衰要素（減衰回路３９）が含まれているので、増幅器４１には、入力端子３１に加えられた受信信号３６の受信レベルを所定量減衰させた信号が伝えられる。
【００４０】
なお、この第二のスイッチポジションにおいても、入力端子３１と増幅器４１側のコンデンサ５９との間に、交直分離回路３８のチョークコイル６０、６１が挿入されるが、このチョークコイル６０、６１は高周波の交流である受信信号３６に対して、高インピーダンスの回路要素となり、受信信号３６を通さないため、やはり、その存在を無視することができる。
【００４１】
次に、第三のスイッチポジジョン（ｃ）について説明する。このポジションは、可動接点５２、５３が右側に位置しているときのポジションであり、この場合、スイッチ回路３７の端子Ｃ１−端子Ｅ１間が導通すると共に、スイッチ回路３７の端子Ｃ２−端子Ｅ２間が導通する。このため、入力端子３１に加えられた受信信号３６は、コンデンサ５７→端子Ｃ１→可動接点５２→端子Ｅ１→コンデンサ５９の経路を経て増幅器４１に伝えられ、且つ、直流電源生成回路４０で作られた電源電圧３５は、チョークコイル６２→端子Ｅ２→可動接点５３→端子Ｃ２→チョークコイル６１→チョークコイル６０→入力端子３１の経路を経てローノイズアンプ３４に伝えられる。
【００４２】
したがって、上記の第一のスイッチポジジョン（ａ）と同様に、この経路中には、受信信号３６に対する減衰要素（減衰回路３９）が含まれていないため、増幅器４１には、入力端子３１に加えられた受信信号３６がほぼそのままの受信レベルを保って伝えられると共に、直流電源生成回路４０で作られた電源電圧３５がローノイズアンプ３４に供給されるため、結局、増幅器４１には、ローノイズアンプ３４で大きく増幅された受信信号３６が伝えられる。
【００４３】
以上のとおりであるから、本実施形態によれば、一つのスイッチ（スイッチ回路３７）のポジションを入れ替えるだけで、受信信号３６の「信号レベルが適正なとき」、「信号レベルが過大なとき」及び「信号レベルが過小なときの」の三つのケースにワンタッチで対応することができ、設定ミスを招くことがないという特有の効果が得られる。
【００４４】
図３は、ブースタ３０の操作パネル６６の一部を示す図及びブースタ３０のスイッチポジションの一覧を示す図であり、この操作パネル６６には三つのポジションマーク「１、２、３」が付されたスイッチ回路３７の操作子５５が設けられている。
【００４５】
今、受信信号３６の信号レベルが適正な場合は、スイッチポジションを「１」にすればよい。このポジション「１」は、上記の第一のスイッチポジジョン（図２（ａ）参照）に相当し、したがって、減衰回路３９は非接続、ローノイズアンプ３４への電源電圧３５は非供給となるので、受信信号３６の信号レベルが適正な場合における望ましい設定をワンタッチ且つミスなく行うことができる。
【００４６】
また、受信信号３６の信号レベルが過大な場合は、スイッチポジションを「２」にすればよい。このポジション「２」は、上記の第二のスイッチポジジョン（図２（ｂ）参照）に相当し、したがって、減衰回路３９は接続、ローノイズアンプ３４への電源電圧３５は非供給となるので、受信信号３６の信号レベルが過大な場合における望ましい設定をワンタッチ且つミスなく行うことができる。
【００４７】
さらに、受信信号３６の信号レベルが過小な場合は、スイッチポジションを「３」にすればよい。このポジション「３」は、上記の第三のスイッチポジジョン（図２（ｃ）参照）に相当し、したがって、減衰回路３９は非接続、ローノイズアンプ３４への電源電圧３５は供給となるので、受信信号３６の信号レベルが過小な場合における望ましい設定をワンタッチ且つミスなく行うことができる。
【００４８】
このように、本実施形態においては、一つのスイッチ回路３７を設けることによって、上記三つのケースのいずれにもワンタッチで対応できる。したがって、不適切な設定を行う可能性がなく、その結果、誤操作を招かない信号レベル調整用スイッチ装置を提供することができる。
【００４９】
なお、本発明は、以上の実施形態に限定されない。その思想とする範囲において、様々な変形例を包含することはもちろんであり、たとえば、以下のようにしてもよい。
【００５０】
図４は、他の実施形態におけるブースタ７０の要部構成図である。なお、この実施形態において、上記の実施形態と共通する構成要素には同一の符号を付してある。
【００５１】
ブースタ７０の入力端子３１は、信号ケーブル３２を介して、受信アンテナ３３の直下に入れられたローノイズアンプ３４に接続されている。
【００５２】
ローノイズアンプ３４は、外部電源供給型の増幅器であり、電源電圧３５の供給時には、受信アンテナ３３で受けたテレビジョン放送信号（受信信号３６）を所定の増幅度で増幅して出力するが、電源電圧３５の非供給時には、同テレビジョン放送信号（受信信号３６）をそのままスルーさせて（または若干の挿入損失を与えて）出力する。
【００５３】
ブースタ７０は、上記の入力端子３１、スイッチ回路３７、交直分離回路３８、減衰回路３９、直流電源生成回路４０及び増幅器４１などを含んで構成されており、これら各部の詳細は、以下のとおりである。
【００５４】
まず、スイッチ回路３７は、三つのポジジョンと計十個の端子（Ａ１、Ｂ１、Ｃ１、Ｄ１、Ｅ１、Ａ２、Ｂ２、Ｃ２、Ｄ２、Ｅ２）を持つ２回路３接点のスライドスイッチであり、このスイッチ回路３７は、交直分離回路３８や減衰回路３９と共に「信号レベル調整用スイッチ装置」を構成する。
【００５５】
スイッチ回路３７の各端子は、Ａ１、Ｂ１、Ｃ１、Ｄ１及びＥ１の第一グループと、Ａ２、Ｂ２、Ｃ２、Ｄ２及びＥ２の第二グループとからなり、これらの端子は、それぞれ個別の固定接点４２〜５１に接続されている（図１（ｃ）参照）。上記の実施形態と同様に、本実施形態のスイッチ回路３７も、三つのスイッチポジジョン（以下「第一のスイッチポジション〜第三のスイッチポジション」という。）のいずれかに設定できるようになっている。
【００５６】
第一のスイッチポジジョンは、第一グループの端子Ａ１−端子Ｃ１間を導通すると共に、第二グループの端子Ａ２−端子Ｃ２間を導通する状態である。同様に、第二のスイッチポジジョンは、第一グループの端子Ｂ１−端子Ｄ１間を導通すると共に、第二グループの端子Ｂ２−端子Ｄ２間を導通する状態であり、さらに、第三のスイッチポジジョンは、第一グループの端子Ｃ１−端子Ｅ１間を導通すると共に、第二グループの端子Ｃ２−端子Ｅ２間を導通する状態である。
【００５７】
交直分離回路３８は、受信信号３６と電源電圧３５との周波数成分の違いに基づいて両者を分離する回路であり、直流成分を通さない回路要素（直流阻止要素；典型的にはコンデンサ）５７〜５９と交流成分を通さない回路要素（交流阻止要素；典型的にはチョークコイル）６０〜６２とを組み合わせて構成されている。
【００５８】
たとえば、図示の例では、入力端子３１とスイッチ回路３７の端子Ｂ１及び端子Ｃ１との間にコンデンサ５７を接続し、入力端子３１とスイッチ回路３７の端子Ｄ１、端子Ｅ１、端子Ｃ２及び端子Ｄ２との間に２個のチョークコイル６０、６１を直列に接続し、そのチョークコイル６０、６１の間とグランド間にコンデンサ５８を接続し、スイッチ回路３７の端子Ｅ２と直流電源生成回路４０との間にチョークコイル６２を接続し、スイッチ回路３７の端子Ｃ２、端子Ｄ２、端子Ｄ１及び端子Ｅ１と増幅器４１との間にコンデンサ５９を接続して構成している。
【００５９】
減衰回路３９は、受信信号３６に対して所定の減衰を与えるためのアッテネータであり、たとえば、図示の例では、スイッチ回路３７の端子Ａ１と端子Ａ２との間に抵抗６３を接続すると共に、その抵抗６３の両端とグランド間にそれぞれ抵抗６４、６５を接続してπ型のアッテネータを構成している。
【００６０】
直流電源生成回路４０は、ローノイズアンプ３４の動作に必要な電源電圧３５を生成してチョークコイル６２を介して出力するための回路であり、この電源電圧３５は、交直分離回路３８における受信信号３６との分離作用を得るために直流（または若干の低周波リップル成分を含む脈流であってもよい）とされている。
【００６１】
増幅器４１は、受信信号３５を増幅して、テレビジョン共聴システムの分配器（図７の分配器６〜９参照）に出力するためのものであり、その増幅度は、たとえば、テレビジョン共聴システムにおける分配ロスを補うことのできる程度のものとされる。
【００６２】
以上、説明したとおり、図示のスイッチ回路３７の各端子Ａ１〜Ｅ１及びＡ２〜Ｅ２には、交直分離回路３８や減衰回路３９などが接続されており、上記の三つのスイッチポジションの各々において、以下に説明する回路動作を実現する。
【００６３】
図５は、スイッチポジションごとの回路動作を説明する図である。まず、第一のスイッチポジジョン（ａ）について説明する。このポジションは、可動接点５２、５３が左側に位置しているときのポジションであり、この場合、スイッチ回路３７の端子Ａ１−端子Ｃ１間が導通すると共に、スイッチ回路３７の端子Ａ２−端子Ｃ２間が導通する。このため、入力端子３１に加えられた受信信号３６は、コンデンサ５７→端子Ｃ１→可動接点５２→端子Ａ１→減衰回路３９→端子Ａ２→可動接点５３→端子Ｃ２→コンデンサ５９の経路を経て増幅器４１に伝えられる。この経路中には、受信信号３６に対する減衰要素（減衰回路３９）が含まれているので、増幅器４１には、入力端子３１に加えられた受信信号３６の受信レベルを所定量減衰させた信号が伝えられる。
【００６４】
なお、この第一のスイッチポジションにおいては、入力端子３１と増幅器４１側のコンデンサ５９との間に、交直分離回路３８のチョークコイル６０、６１が挿入されるが、このチョークコイル６０、６１は高周波の交流である受信信号３６に対して、高インピーダンスの回路要素となり、受信信号３６を通さないため、その存在を無視することができる。
【００６５】
次に、第二のスイッチポジジョン（ｂ）について説明する。このポジションは、可動接点５２、５３が中央に位置しているときのポジションであり、この場合、スイッチ回路３７の端子Ｂ１−端子Ｄ１間が導通すると共に、スイッチ回路３７の端子Ｂ２−端子Ｄ２間が導通する。このため、入力端子３１に加えられた受信信号３６は、コンデンサ５７→端子Ｂ１→可動接点５２→端子Ｄ１→コンデンサ５９の経路を経て増幅器４１に伝えられる。上記の第一のスイッチポジジョン（ａ）と違って、この経路中には、受信信号３６に対する減衰要素（減衰回路３９）が含まれていないので、増幅器４１には、入力端子３１に加えられた受信信号３６がほぼそのままの受信レベルを保って伝えられる。
【００６６】
なお、この第二のスイッチポジションにおいても、入力端子３１と増幅器４１側のコンデンサ５９との間に、交直分離回路３８のチョークコイル６０、６１が挿入されるが、このチョークコイル６０、６１は高周波の交流である受信信号３６に対して、高インピーダンスの回路要素となり、受信信号３６を通さないため、やはり、その存在を無視することができる。
【００６７】
次に、第三のスイッチポジジョン（ｃ）について説明する。このポジションは、可動接点５２、５３が右側に位置しているときのポジションであり、この場合、スイッチ回路３７の端子Ｃ１−端子Ｅ１間が導通すると共に、スイッチ回路３７の端子Ｃ２−端子Ｅ２間が導通する。このため、入力端子３１に加えられた受信信号３６は、コンデンサ５７→端子Ｃ１→可動接点５２→端子Ｅ１→コンデンサ５９の経路を経て増幅器４１に伝えられ、且つ、直流電源生成回路４０で作られた電源電圧３５は、チョークコイル６２→端子Ｅ２→可動接点５３→端子Ｃ２→チョークコイル６１→チョークコイル６０→入力端子３１の経路を経てローノイズアンプ３４に伝えられる。
【００６８】
したがって、上記の第二のスイッチポジジョン（ｂ）と同様に、この経路中には、受信信号３６に対する減衰要素（減衰回路３９）が含まれていないため、増幅器４１には、入力端子３１に加えられた受信信号３６がほぼそのままの受信レベルを保って伝えられると共に、直流電源生成回路４０で作られた電源電圧３５がローノイズアンプ３４に供給されるため、結局、増幅器４１には、ローノイズアンプ３４で大きく増幅された受信信号３６が伝えられる。
【００６９】
以上のとおりであるから、この実施形態においても、一つのスイッチ（スイッチ回路３７）のポジションを入れ替えるだけで、受信信号３６の「信号レベルが適正なとき」、「信号レベルが過大なとき」及び「信号レベルが過小なときの」の三つのケースにワンタッチで対応することができ、設定ミスを招くことがないという特有の効果が得られる。
【００７０】
図６は、ブースタ７０のスイッチポジションの一覧を示す図である。今、受信信号３６の信号レベルが適正な場合は、スイッチポジションを「２」にすればよい。このポジション「２」は、上記の第二のスイッチポジジョン（図５（ｂ）参照）に相当し、したがって、減衰回路３９は非接続、ローノイズアンプ３４への電源電圧３５は非供給となるので、受信信号３６の信号レベルが適正な場合における望ましい設定をワンタッチ且つミスなく行うことができる。
【００７１】
また、受信信号３６の信号レベルが過大な場合は、スイッチポジションを「１」にすればよい。このポジション「１」は、上記の第一のスイッチポジジョン（図５（ａ）参照）に相当し、したがって、減衰回路３９は接続、ローノイズアンプ３４への電源電圧３５は非供給となるので、受信信号３６の信号レベルが過大な場合における望ましい設定をワンタッチ且つミスなく行うことができる。
【００７２】
さらに、受信信号３６の信号レベルが過小な場合は、スイッチポジションを「３」にすればよい。このポジション「３」は、上記の第三のスイッチポジジョン（図５（ｃ）参照）に相当し、したがって、減衰回路３９は非接続、ローノイズアンプ３４への電源電圧３５は供給となるので、受信信号３６の信号レベルが過小な場合における望ましい設定をワンタッチ且つミスなく行うことができる。
【００７３】
このように、本実施形態においても、一つのスイッチ回路３７を設けることによって、上記三つのケースのいずれにもワンタッチで対応できる。したがって、不適切な設定を行う可能性がなく、その結果、誤操作を招かない信号レベル調整用スイッチ装置を提供することができる。
【００７４】
加えて、本実施形態におけるスイッチポジションは、図６に示すように、ポジション「１」→信号レベルが過大なとき、ポジション「２」→信号レベルが適正なとき、ポジション「３」→信号レベルが過小なときの順番（要するに、「過大」、「適正」、「過小」の順番）に並んでおり、この順番は信号レベルの高大順を表しているから、直感的イメージに即し、実際の信号レベルに合わせた設定を行いやすいというメリットがある。
【００７５】
なお、以上の各実施形態における信号レベル調整用スイッチ装置は、いずれもブースタ３０、７０に実装されているが、発明の本旨は、これに限定されない。信号レベル調整用スイッチ装置単独のものであってもよい。すなわち、上記の各実施形態におけるブースタ３０、７０から増幅器４１を取り除いたものをレベル調整器とし、そのレベル調整器を信号ケーブル３２に挿入してもよい。
【００７６】
また、上記各実施形態においては、減衰回路３９を１回路とし、且つ、その減衰量を固定としているが、これに限らない。たとえば、スイッチ回路３７のスイッチポジション数をｎ（但し、ｎ＞３）とし、且つ、ｎ−２個の減衰回路を設けて、それぞれの減衰回路の減衰量を異ならせると共に、そのスイッチ回路３７（スイッチポジション数をｎとするもの）の切り換え操作に伴って減衰量を任意に選択できるようにしてもよい。
【００７７】
たとえば、ｎ＝４とした場合（この場合、減衰回路は２個となる）は、図６の三つのスイッチポジション（「１」、「２」、「３」）に、さらに、「４」が加えられることになるが、これら４つのスイッチポジション（「１」、「２」、「３」、「４」）を信号レベルの高大順、すなわち、ポジション「１」→信号レベルがきわめて過大なとき、ポジション「２」→信号レベルが過大なとき、ポジション「３」→信号レベルが適正なとき、ポジション「４」→信号レベルが過小なとき、の並びにすると共に、ポジション「１」のときには第一の減衰回路（減衰量大）を選択する一方、ポジション「２」のときには第二の減衰回路（減衰量小）を選択するようにすると、信号レベルの高大順のスイッチポジションの並びによって実際の信号レベルに合わせた設定を行いやすくなると共に、とりわけ信号レベルが大きい状態を大小二段階化して、それぞれに適合した減衰量を選択的に与えることができるから、より好ましいものとすることができる。
【００７８】
また、以上の説明では、スイッチ回路３７をスライドスイッチとしたが、これに限らず、ロータリースイッチとしてもよい。
【図面の簡単な説明】
【００７９】
【図１】実施形態におけるブースタ３０の要部構成図、スイッチ回路３７の外観図及び回路図である。
【図２】スイッチポジションごとの回路動作を説明する図である。
【図３】ブースタ３０の操作パネル６６の一部を示す図及びブースタ３０のスイッチポジションの一覧を示す図である。
【図４】他の実施形態におけるブースタ７０の要部構成図である。
【図５】スイッチポジションごとの回路動作を説明する図である。
【図６】ブースタ７０のスイッチポジションの一覧を示す図である。
【図７】テレビジョン共聴システムの概念図である。
【図８】従来例の不都合を説明するための図である。
【符号の説明】
【００８０】
Ａ１  端子
Ｂ１  端子
Ｃ１  端子
Ｄ１  端子
Ｅ１  端子
Ａ２  端子
Ｂ２  端子
Ｃ２  端子
Ｄ２  端子
Ｅ２  端子
３１  入力端子
３４  ローノイズアンプ
３６  受信信号
３７ スイッチ回路
３９  減衰回路（減衰要素）
４０  直流電源生成回路
４１  増幅器
５７  コンデンサ（直流阻止要素）
５８  コンデンサ（直流阻止要素）
５９  コンデンサ（直流阻止要素）
６０  チョークコイル（交流阻止要素）
６１  チョークコイル（交流阻止要素）
６２  チョークコイル（交流阻止要素）
【図１】
2005192026.tif 000003
【図２】
2005192026.tif 000004
【図３】
2005192026.tif 000005
【図４】
2005192026.tif 000006
【図５】
2005192026.tif 000007
【図６】
2005192026.tif 000008
【図７】
2005192026.tif 000009
【図８】
2005192026.tif 000010